【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
遊技を進行させるために遊技者により操作される遊技操作手段と、
表示結果が導出されるより前に、複数種類の表示結果の導出を許容するか否かを決定する事前決定手段と、
前記事前決定手段の決定結果に応じて表示結果を導出する導出制御手段と、
所定の演出を演出手段において実行させる演出実行手段と、
前記演出実行手段により前記所定の演出が実行されているときにおいて前記遊技操作手段が操作されて遊技が進行されたときに、該実行されている所定の演出を中途で終了させる演出終了手段とを備え、
前記所定の演出が前記演出終了手段により中途で終了されることなく最後まで実行完了されたときには、該所定の演出が中途で終了されたときよりも、該所定の演出の終了後の有利状態において得られる利益の期待値が大きい
ことを特徴とするスロットマシン。
【手続補正２】
【補正対象書類名】明細書
【補正対象項目名】００１１
【補正方法】変更
【補正の内容】
【００１１】
上記目的を達成するため、本発明にかかるスロットマシンは、
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
遊技を進行させるために遊技者により操作される遊技操作手段（メダル投入口１３、１枚ＢＥＴボタン１４、ＭＡＸＢＥＴボタン１５）と、
表示結果が導出されるより前に、複数種類の表示結果の導出を許容するか否かを決定する事前決定手段（ステップＳ２０３：図２２）と、
前記事前決定手段の決定結果に応じて表示結果を導出する導出制御手段（ステップＳ２０４：図２３）と、
所定の演出（ボーナス当選報知演出）を演出手段（液晶表示器４）において実行せる演出実行手段（ステップＳ８３５）と、
前記演出実行手段により前記所定の演出が実行されているときにおいて前記遊技操作手段が操作されて遊技が進行されたときに、該実行されている所定の演出を中途で終了させる演出終了手段（ステップＳ８０９）とを備え、
前記所定の演出が前記演出終了手段により中途で終了されることなく最後まで実行完了されたときには、該所定の演出が中途で終了されたときよりも、該所定の演出の終了後の有利状態において得られる利益の期待値が大きい
ことを特徴とする。
【手続補正３】
【補正対象書類名】明細書
【補正対象項目名】００１２
【補正方法】変更
【補正の内容】
【００１２】
上記スロットマシンでは、可変表示部に表示結果が導出された後において事前決定手段の決定結果に応じた所定の演出が行われる。この所定の演出が実行されているときにおいて次のゲームのために遊技操作手段が操作されると、該所定の演出が中途で終了させられるものとなっている。もっとも、この所定の演出は、遊技操作手段が操作されずに最後まで実行完了することもあり、この場合には、所定の演出が遊技操作手段の操作により中途で終了されていないことになるので、遊技者にとって有利となることとなる。
【手続補正４】
【補正対象書類名】明細書
【補正対象項目名】００１３
【補正方法】変更
【補正の内容】
【００１３】
遊技者は、所定の演出の実行が完了する前に遊技操作手段を操作して該所定の演出を中途で終了させるとともに遊技を進行させることができないことはないものの、そうしてしまうと有利にならなくなってしまうので、通常は、有利にするために所定の演出の実行が完了するのを待ってから遊技操作手段を操作することとなる。このため、事前決定手段の決定結果に応じた所定の演出をできる限り無駄にすることなく最後まで実行させることができるものとなる。
【手続補正５】
【補正対象書類名】明細書
【補正対象項目名】００１４
【補正方法】変更
【補正の内容】
【００１４】
その一方で、遊技者は、有利にならないことになってしまうものの、所定の演出の実行が完了する前に遊技操作手段を操作して該所定の演出を中途で終了させるとともに遊技を進行させるということが禁止されているわけではない。このため、遊技者が演出手段において実行されている所定の演出に煩わされずに、自由に遊技を進めることができるようにするという要請も担保することができる。
【手続補正６】
【補正対象書類名】明細書
【補正対象項目名】００１５
【補正方法】変更
【補正の内容】
【００１５】
なお、遊技者にとって有利となるとは、遊技者が遊技を有利に進行できるようになること（遊技を有利に進行できるようになる情報（後述する特別表示結果の種類を特定可能な情報や小役表示結果を導出させるための導出操作手順を特定可能な情報を含む）の報知を含む）であってもよい。また、遊技者にとって有利となるとは、遊技の進行を直接的に有利にするものではないが、遊技者にとって何らかの利益を与えること（例えば、通常は見ることのできない画像の表示等によるプレミアム演出の実行）であってもよい。
【手続補正７】
【補正対象書類名】明細書
【補正対象項目名】００１６
【補正方法】変更
【補正の内容】
【００１６】
上記スロットマシンにおいて、
前記事前決定手段は、通常遊技状態よりも遊技者にとって有利な特別遊技状態（ビッグボーナス、レギュラーボーナス）への移行を伴う複数種類の特別表示結果（ビッグボーナス（１）〜（６）、レギュラーボーナス（１）〜（３））の何れかの導出を許容するか否かを決定する特別決定手段を含んでいてもよい。
この場合において、上記スロットマシンは、
前記識別情報の変動表示を停止させるために遊技者により操作される停止操作手段（停止ボタン１２Ｌ、１２Ｃ、１２Ｒ）と、
前記複数種類の特別表示結果の何れかの導出を許容する旨が決定され、該決定に基づいて該特別表示結果が導出されないときに、該特別表示結果の導出を許容する旨の決定を次ゲーム以降に持ち越す特別決定持越手段（ステップＳ７１１：ビッグボーナス（１）〜（６）、レギュラーボーナス（１）〜（３）の当選フラグは消去しない）と、
前記可変表示装置の表示結果として前記複数種類の特別表示結果の何れかが導出されたときに、前記特別遊技状態に遊技状態を制御する特別遊技状態制御手段（ステップＳ２０５）とをさらに備えるものとすることができ、
前記導出制御手段は、
前記事前決定手段の決定結果と前記停止操作手段の操作手順とに応じて前記可変表示装置に表示結果を導出させるものであって、
前記事前決定手段により前記複数種類の特別表示結果のうちの第１種類の特別表示結果の導出を許容する旨が決定され、第１特別手順で前記停止操作手順が操作されたときには該第１種類の特別表示結果を導出させ、該第１特別手順以外の手順で前記停止操作手段が操作されたときには該第１種類の特別表示結果以外の表示結果を導出させる第１特別表示結果導出手段（例えば、ビッグボーナス（１）は、左と中のリール３Ｌ、３Ｃについて１２番〜１８番の図柄が下段に位置するタイミングで停止ボタン１２Ｌを操作し、右のリール３Ｒについては１２番〜１８番の図柄が下段に位置するタイミングで停止ボタン１２Ｒを操作することが条件）と、
前記事前決定手段により前記複数種類の特別表示結果のうちの第２種類の特別表示結果の導出を許容する旨が決定され、前記第１特別手順とは異なる第２特別手順で前記停止操作手段が操作されたときには該第２種類の特別表示結果を導出させ、該第２特別手順以外の手順で前記停止操作手段が操作されたときには該第２種類の特別表示結果以外の表示結果を導出させる第２特別表示結果導出手段（例えば、ビッグボーナス（５）は、左と中のリール３Ｌ、３Ｃについて５番〜１１番の図柄が下段に位置するタイミングで停止ボタン１２Ｌを操作し、右のリール３Ｒについて５番〜１１番の図柄が下段に位置するタイミングで停止ボタン１２Ｒを操作することが条件）とを含むものとすることができる。ここでは、
前記演出実行手段は、前記所定の演出として、前記特別決定手段により前記特別表示結果の導出を許容する旨が決定されたことを示す演出（ボーナス当選報知演出）を実行し、  前記所定の演出が前記演出終了手段により中途で終了されることなく最後まで実行完了されたときには、前記特別決定手段により導出を許容する旨が決定された特別表示結果の種類を特定可能な情報を報知する（ステップＳ８２０）ことにより、遊技者にとって有利となるものとすることができる。
【手続補正８】
【補正対象書類名】明細書
【補正対象項目名】００１７
【補正方法】変更
【補正の内容】
【００１７】
ここでは、複数種類の特別表示結果が定められているが、各特別表示結果を導出させるための停止操作手段の操作手順は、特別表示結果の種類毎に異なっているので、何れかの種類の特別表示結果の導出を許容する旨が決定されているだけで、該種類の特別表示結果に応じて定められた手順で停止操作手段を操作しなければ、特別表示結果が導出されない。もっとも、遊技者が有利にするために所定の演出の実行が完了するのを待ってから遊技操作手段を操作することによって、導出を許容する旨の決定された特別表示結果の種類を特定可能な情報が報知される。
【手続補正９】
【補正対象書類名】明細書
【補正対象項目名】００２２
【補正方法】変更
【補正の内容】
【００２２】
上記スロットマシンにおいて、
前記事前決定手段は、通常遊技状態よりも遊技者にとって有利な特別遊技状態（ビッグボーナス、レギュラーボーナス）への移行を伴う特別表示結果（ビッグボーナス（１）〜（６）、レギュラーボーナス（１）〜（３））の導出を許容するか否かを決定する特別決定手段と、遊技用価値の付与を伴う複数種類の小役表示結果（９択（１）〜（９）、スイカ、チェリー）の導出を許容するか否かを決定する小役決定手段とを含んでいてもよい。
この場合において、上記スロットマシンは、
前記識別情報の変動表示を停止させるために遊技者により操作される停止操作手段（停止ボタン１２Ｌ、１２Ｃ、１２Ｒ）と、
前記複数種類の特別表示結果の何れかの導出を許容する旨が決定され、該決定に基づいて該特別表示結果が導出されないときに、該特別表示結果の導出を許容する旨の決定を次ゲーム以降に持ち越す特別決定持越手段（ステップＳ７１１：ビッグボーナス（１）〜（６）、レギュラーボーナス（１）〜（３）の当選フラグは消去しない）と、
前記可変表示装置の表示結果として前記特別表示結果が導出されたときに、前記特別遊技状態に遊技状態を制御する特別遊技状態制御手段（ステップＳ２０５）とをさらに備えるものとすることができ、
前記演出実行手段は、前記所定の演出として、前記特別決定手段により前記特別表示結果の導出を許容する旨が決定されたことを示す演出（ボーナス当選報知演出）を実行し、
前記導出制御手段は、
前記事前決定手段の決定結果と前記停止操作手段の操作手順とに応じて前記可変表示装置に表示結果を導出させるものであって、
前記事前決定手段により前記複数種類の小役表示結果のうちの第１種類の小役表示結果の導出を許容する旨が決定され、第１小役手順で前記停止操作手順が操作されたときには該第１種類の小役表示結果を導出させ、該第１小役手順以外の手順で前記停止操作手段が操作されたときには該第１種類の小役表示結果以外の表示結果を導出させる第１小役表示結果導出手段（例えば、９択（１）は、左のリール３Ｌについて１２番〜１８番の図柄が下段に位置するタイミングで停止ボタン１２Ｌを操作し、右のリール３Ｒについては１２番〜１８番の図柄が下段に位置するタイミングで停止ボタン１２Ｒを操作することが条件）と、
前記事前決定手段により前記複数種類の小役表示結果のうちの第２種類の小役表示結果の導出を許容する旨が決定され、前記第１小役手順とは異なる第２小役手順で前記停止操作手段が操作されたときには該第２種類の小役表示結果を導出させ、該第２小役手順以外の手順で前記停止操作手段が操作されたときには該第２種類の小役表示結果以外の表示結果を導出させる第２小役表示結果導出手段（例えば、９択（５）は、左のリール３Ｌについて５番〜１１番の図柄が下段に位置するタイミングで停止ボタン１２Ｌを操作し、右のリール３Ｒについて５番〜１１番の図柄が下段に位置するタイミングで停止ボタン１２Ｒを操作することが条件）とを含むものとすることができる。
前記所定の演出が前記演出終了手段により中途で終了されることなく最後まで実行完了されたときには、該所定の演出で導出を許容する旨が決定されていることが報知された特別表示結果に基づいて制御された特別遊技状態において前記小役決定手段により何れかの種類の小役表示結果の導出を許容する旨が決定されたときに、該種類の小役表示結果を導出させるための導出操作手順を特定可能な情報を遊技者に報知する（ステップＳ８１７）ことにより、遊技者にとって有利となるとすることができる。
【手続補正１０】
【補正対象書類名】明細書
【補正対象項目名】０３６６
【補正方法】変更
【補正の内容】
【０３６６】
また、当選しているボーナスの種別の報知やその後のボーナスにおける９択（１）〜（９）等の小役の当選報知以外の遊技者が遊技を進行するために有利となる制御を、ビッグ
ボーナス（１）〜（６）またはレギュラーボーナス（１）〜（３）の何れかの当選を示すボーナス当選報知演出が賭け数の設定等により中途でキャンセルされることなく最後まで実行を完了したときに行われる制御として適用することができる。さらに、遊技の進行自体が有利になる訳ではないが、遊技者にとって何らかの利益が与えられるようにする制御（例えば、通常は見ることのできないプレミアム画像の表示など）を、当選しているボーナスの種別の報知やその後のボーナスにおける９択（１）〜（９）等の小役の当選報知の代わりに行う制御として適用することができる。
【手続補正１１】
【補正対象書類名】明細書
【補正対象項目名】０３６９
【補正方法】変更
【補正の内容】
【０３６９】
上記の実施の形態では、ボーナス当選報知演出は、ビッグボーナス（１）〜（６）またはレギュラーボーナス（１）〜（３）に当選したゲームがこれらに入賞することなく終了した（すなわち、ハズレの表示結果が可変表示装置２に導出された）ときに、通常の遊技状態でビッグボーナス（１）〜（６）またはレギュラーボーナス（１）〜（３）の何れにも当選していないゲームが終了したときに、開始されるものとしていた。しかしながら、ボーナス当選報知演出は、少なくとも可変表示装置２に表示結果が導出された後にも一定期間は実行されるのであれば、可変表示装置２に表示結果が導出される前に開始されるものとしてもよい。